(57)【要約】      （修正有）【課題】木材や流体燃料の燃焼後、或いは、木材の燃焼が弱くなっても、外釜内の温度の低下を緩和し、木材や流体燃料の消費量を軽減する外釜式風呂用給湯装置を提供する。【解決手段】外釜式風呂用給湯装置は、浴室２の外部に、風呂用給湯外釜１を、備えている。給湯外釜１は、浴槽２１から湯水をケーシング１０内に導入するための流入口部１１と、流入口部１１から流入した湯水をケーシング１０外に流出させるための流出口部１２と、ケーシング１０内で流入口部１１と流出口部１２とを接続する熱交換用の戻し流路部１３と、木材を載置可能な網部材１４と、流体燃料にて燃焼炎が点火するバーナ口１５と、を備えている。給湯外釜１のケーシング１０内には、金属又は岩石又は陶磁器から成る蓄熱塊Ｍを設置している。蓄熱塊Ｍは、ケーシング１０の底部１９に形成した凹所１９ａに落し込むように配設している。蓄熱塊Ｍは、戻し流路部１３及び網部材１４よりも下方位置に設けている。【選択図】図１
0003197218.tif 000002
【実用新案登録請求の範囲】
【請求項１】
木材と流体燃料とを選択して燃焼させる風呂用給湯外釜（１）を備え、
上記給湯外釜（１）のケーシング（10）内に、金属又は岩石又は陶磁器から成る蓄熱塊（Ｍ）を設置したことを特徴とする外釜式風呂用給湯装置。
【請求項２】
上記蓄熱塊（Ｍ）が所定温度以上か否かを検出するための塊用温度センサ（Ｓａ）と、上記給湯外釜（１）と浴槽（21）との間で湯水を循環させるための循環ポンプ（Ｐ）と、上記蓄熱塊（Ｍ）が上記所定温度以上の場合に上記循環ポンプ（Ｐ）の作動を許可して湯水を循環させるための制御部（３）と、を備えた請求項１記載の外釜式風呂用給湯装置。
【請求項３】
上記蓄熱塊（Ｍ）は、球体型、俵型、楕円球型、倒立鏡餅型、の内の何れかに形成した金属から成り、上記ケーシング（10）の底部（19）に形成した凹所（19ａ）に設置した請求項１又は２記載の外釜式風呂用給湯装置。
【考案の詳細な説明】
【技術分野】
【０００１】
本考案は、外釜式風呂用給湯装置に関する。
【背景技術】
【０００２】
従来、浴槽の湯水を、木材と流体燃料とを選択して燃焼させる風呂用給湯外釜に導入して加熱した後に、浴槽へ戻す外釜式風呂用給湯装置があった（例えば、特許文献１参照）。
【先行技術文献】
【特許文献】
【０００３】
【特許文献１】特開昭６４−４９８４９号公報
【考案の概要】
【考案が解決しようとする課題】
【０００４】
しかし、木材や流体燃料の燃焼が終了した場合や、木材の燃焼が弱くなった場合に、外釜内を流れる湯水の温度が低下するため、直ぐに、木材や流体燃料を再燃させる必要があった。また、燃料の消費量が多く非経済的といった問題があった。
【０００５】
そこで、本考案は、木材や流体燃料の燃焼後、或いは、木材の燃焼が弱くなっても、外釜内の温度が低下する速さを緩和できると共に木材や流体燃料の消費量を軽減可能な外釜式風呂用給湯装置の提供を目的とする。
【課題を解決するための手段】
【０００６】
上記目的を達成するために、本考案の外釜式風呂用給湯装置は、木材と流体燃料とを選択して燃焼させる風呂用給湯外釜を備え、給湯外釜のケーシング内に、金属又は岩石又は陶磁器から成る蓄熱塊を設置したものである。
また、上記蓄熱塊が所定温度以上か否かを検出するための塊用温度センサと、上記給湯外釜と浴槽との間で湯水を循環させるための循環ポンプと、上記蓄熱塊が上記所定温度以上の場合に上記循環ポンプの作動を許可して湯水を循環させるための制御部と、を備えたものである。
また、上記蓄熱塊は、球体型、俵型、楕円球型、倒立鏡餅型、の内の何れかに形成した金属から成り、ケーシングの底部に形成した凹所に設置したものである。
【考案の効果】
【０００７】
本考案によれば、流体燃料や木材の燃焼が終了した場合、或いは、木材の燃焼が弱くなった場合に、外釜内の温度低下（温度が低下する速さ）を、蓄熱塊の放熱によって緩和でき、流体燃料や木材を追加で燃焼させる手間や時間を削減できる。また、流体燃料や木材の燃焼終了後に、湯水が急激に冷めるのを防止できる。木材や流体燃料の消費量を軽減でき、経済的である。燃焼後の外釜内を長時間に渡って容易かつ安全に保温できる。
【図面の簡単な説明】
【０００８】
【図１】本考案の実施形態を示す側面図である。
【図２】作用を説明するための側面図である。
【図３】本考案の他の実施形態を示す断面平面図である。
【図４】蓄熱塊の一例を示す図であって、（ａ）は球体型の蓄熱塊を示す正面図であり、（ｂ）は俵型の蓄熱塊を示す側面図であり、（ｃ）は楕円球型の蓄熱塊を示す側面図であり、（ｄ）倒立鏡餅型の蓄熱塊を示す側面図であり、（ｅ）は矩形板型の蓄熱塊を示す斜視図である。
【考案を実施するための形態】
【０００９】
以下、図示の実施形態に基づき本考案を詳説する。
本考案の外釜式風呂用給湯装置は、図１と図２に示すように、浴室２の外部に、石油やガス等の流体燃料と木材（薪）とを選択して燃焼させる風呂用給湯外釜１を、備えている。
給湯外釜１は、浴槽21から湯水をケーシング10内（外釜内）に導入するための流入口部11と、流入口部11から流入した湯水をケーシング10外（外釜外）に流出させるための流出口部12と、ケーシング10内で流入口部11と流出口部12とを接続する熱交換用の戻し流路部13と、木材を載置可能な網部材（ロストル）14と、流体燃料にて燃焼炎が点火するバーナ口15と、を備えている。なお、説明を容易にするために、流体燃料と木材を単に「燃料」と呼ぶ場合がある。
【００１０】
給湯外釜１のケーシング10内には、金属又は岩石又は陶磁器から成る蓄熱塊Ｍを設置している。
蓄熱塊Ｍは、ケーシング10の底部19に形成した凹所19ａに落し込むように配設している。蓄熱塊Ｍは、戻し流路部13及び網部材14よりも下方位置に設けている。
【００１１】
蓄熱塊Ｍは、燃料（木材や流体燃料）の燃焼によって加熱されると、蓄熱し、燃料の燃焼終了後、或いは、木材の燃焼が弱くなった場合に（燃料によって加熱されなくなると）、放熱によって、ケーシング10内の温度低下（温度が低下する速さ）を緩和する。
【００１２】
蓄熱塊Ｍは、あたたまりにくく、冷めにくいものが好ましい。
金属で形成する場合は、鉄（Ｆｅ）以上の比熱をもった金属が好ましく、例えば、アルミニウムや鋳鉄が望ましい。
岩石で形成する場合は、マグマが固まってできた岩石（火成岩）が好ましく、例えば、火山岩、半深成岩、深成岩が望ましい。
陶磁器で形成する場合は、７００度以上で焼かれた、土器、せっ器、陶器、磁器、が望ましい。
【００１３】
また、給湯外釜１の流入口部11と浴槽21の流出孔部21ａとを配管接続し、給湯外釜１の流出口部12と浴槽の流入孔部21ｂとを配管接続して、浴槽21内の湯水をケーシング10内に導入させた後、浴槽21へ戻す湯水循環流路５を形成している。
図１及び図２において、流入口部11と流出孔部21ａの間に湯水を循環させるための循環ポンプＰを介装している。なお、循環ポンプＰは、図示省略するが流出口部12と流入孔部21ｂの間に介装しても良い。
【００１４】
言い換えると、湯水循環流路５は、給湯外釜１の戻し流路部13と、給湯外釜１の流入口部11と浴槽21の流出孔部21ａの間に設けられる往路配管部材51，51，51と、給湯外釜１の流出口部12と浴槽21の流入孔部21ｂとの間に設けられる復路配管部材52，52と、を備え、さらに、循環ポンプＰを浴槽21と給湯外釜１の間に介装している。
【００１５】
さらに、蓄熱塊Ｍ近傍に配設され蓄熱塊Ｍの表面温度が所定温度以上か否かを検出するための塊用温度センサＳａと、戻し流路部13近傍の温度を測定するための釜内用温度センサＳｂと、塊用温度センサＳａと釜内用温度センサＳｂと循環ポンプＰとが電気的に接続され循環ポンプＰを制御するための制御部３と、を備えている。
【００１６】
制御部３は、使用者にて湯水の加熱・保温開始ボタン（又は、循環ポンプＰの作動開始ボタン）が操作された際に、塊用温度センサＳａが検出した蓄熱塊Ｍの温度が、所定温度以上の場合は、ケーシング10内が十分に熱く、流入した湯水の温度を上昇又は維持させることができると判定して、循環ポンプＰの作動を許可して、湯水を循環させる。そして、塊用温度センサＳａが検出した蓄熱塊Ｍの温度が、所定温度未満の場合は、（放熱が弱く）ケーシング10内の温度が低く、流入した湯水の温度を上昇又は維持させることができないと判断して、循環ポンプＰの作動を許可せず、湯水の循環を行わないように循環ポンプＰを制御する。
【００１７】
制御部３が循環ポンプＰの作動を許可するとは、例えば、循環ポンプＰと電源との間に設けた通電用スイッチをＯＮにして通電状態にすること、或いは、加熱・保温開始ボタン（ポンプ作動開始ボタン）と循環ポンプＰと間に設けた命令伝達用スイッチをＯＮにして作動開始命令を伝達可能状態にすること等である。なお、制御部３は、マイコンやＣＰＵ等の演算処理部とＲＡＭやＲＯＭ等の記憶部を有するシーケンサや制御基板等のコンピュータである。
【００１８】
加熱・保温開始ボタンや加熱・保温停止ボタン（ポンプ作動開始ボタン、ポンプ停止ボタン、流体燃料燃焼開始ボタン、流体燃料燃焼停止ボタン）等の操作部４と制御部３は、図例においては、浴室２の内壁に付設しているが、浴室２の外壁や、給湯外釜１のケーシング10に付設するも良い。
【００１９】
図３に示す他の実施形態では、蓄熱塊Ｍを、ケーシング10内に複数個、配設している。ケーシング10の底部19に、凹所19ａを複数箇所形成し、各凹所19ａに１つずつの蓄熱塊Ｍを配設している。
【００２０】
また、蓄熱塊Ｍの形状は、図１乃至図３及び図４（ａ）に示したような球体型に限らず、図４（ｂ）に示すような俵型や、図４（ｃ）に示すような楕円球型（ラグビーボール型）や、図４（ｄ）に示すような倒立鏡餅型（下方突出凸球レンズ型）や、図４（ｅ）に示す矩形板状型とするも良い。
【００２１】
次に、本考案の外釜式風呂用給湯装置の使用方法（作用）について説明する。
図１に示すように、湯水（風呂）を沸かす場合は、ケーシング10内に木材を入れて、着火させ、或いは、操作部４を操作して、図示省略するが、流体燃料にてバーナ口15に燃焼炎を点火させて、ケーシング10内を燃料燃焼状態にする。
制御部３は、塊用温度センサＳａにて蓄熱塊Ｍの温度が所定温度以上の場合に、ケーシング10内が、十分に熱せられていると判定して、循環ポンプＰの作動を許可し、循環ポンプＰを作動させる。
【００２２】
浴槽21内からケーシシング10内に流入した湯水は戻り流路部13で加熱された後、浴槽21に戻る。浴槽21内の湯水が昇温する。
そして、図２に示すように、木材や流体燃料の燃焼が終了した場合、或いは、図示省略するが、木材の燃焼が弱くなった場合において、制御部３は、塊用温度センサＳａにて検出した蓄熱塊Ｍの温度が所定温度以上であると、蓄熱塊Ｍの放熱作用によってケーシング10内は湯水を加熱又は保温するに十分な温度であると判定して、循環ポンプＰの作動を許可し、循環ポンプＰを作動させている。
流体燃料や木材を追加で燃焼させる必要がなくなり、燃料の消費が軽減される。
【００２３】
また、蓄熱塊Ｍが長時間に渡って放熱するため、沸かした湯水が冷めて再び加熱するような追い焚きを行う場合に、制御部３は、蓄熱塊Ｍが所定温度以上であれば、蓄熱塊Ｍから十分な放熱が得られると判定して、燃料への点火を行わずに循環ポンプＰを作動させる。蓄熱塊Ｍの放熱にて湯水を再加熱させることができ、経済的である。また、木材の場合は、再投入や再着火の手間も軽減できる。
【００２４】
また、蓄熱塊Ｍが所定温度未満であれば、ケーシング10内の温度が、湯水の加熱・保温できない温度であると判定して、循環ポンプＰの作動を許可せず、湯水が冷やされるのを防止する。
【００２５】
また、制御部３は、釜内用温度センサＳｂによる測定結果が所定警告温度以上の場合は、過熱異常状態と判定して、スピーカー等の音声出力手段やランプ等の表示手段等の異常警告手段を作動させる。また、流体燃料燃焼中に所定警告温度以上になった場合は、流体燃料の供給を停止して燃焼炎を消火する。
【００２６】
なお、本考案は設計変更可能であって、戻し流路部（熱交換器）13の流路形状や、バーナ口15の配置は自由である。また、図例では、給湯外釜１のケーシング10に流体燃料を貯えるタンクＴを付設しているが、タンクＴとケーシング10を離間させて設けても良い。
【００２７】
以上のように、本考案の外釜式風呂用給湯装置は、木材と流体燃料とを選択して燃焼させる風呂用給湯外釜１を備え、給湯外釜１のケーシング10内に、金属又は岩石又は陶磁器から成る蓄熱塊Ｍを設置したので、流体燃料や木材の燃焼が終了した場合、或いは、木材の燃焼が弱くなった場合に、ケーシング10内の温度低下を、蓄熱塊Ｍの放熱によって緩和できる（ケーシング10内の温度が低下する速さを遅くできる）。流体燃料や木材を追加で燃焼させる手間や時間を削減できる。また、流体燃料や木材の燃焼終了後に、湯水が急激に冷めるのを防止できる。木材や流体燃料の消費量を軽減でき、経済的である。燃料燃焼後のケーシング10内を長時間に渡って容易かつ安全に保温できる。
【００２８】
また、蓄熱塊Ｍが所定温度以上か否かを検出するための塊用温度センサＳａと、給湯外釜１と浴槽21との間で湯水を循環させるための循環ポンプＰと、蓄熱塊Ｍが所定温度以上の場合に循環ポンプＰの作動を許可して湯水を循環させるための制御部３と、を備えたので、追い焚きの際に、追加で燃料を燃焼させる必要がなく、燃料消費を軽減できる。湯水を沸かした後に、湯水が給湯外釜１のケーシング10内へ流れて、冷やされるのを防止できる。
【００２９】
また、蓄熱塊Ｍは、球体型、俵型、楕円球型、倒立鏡餅型、の内の何れかに形成した金属から成り、ケーシング10の底部19に形成した凹所19ａに設置したので、ケーシング10内に木材を配置する十分な空間を確保できると共に、給湯外釜１をコンパクトにできる。蓄熱塊Ｍが所定位置に保持され、放熱を安全かつ確実に湯水に作用させることができる。
【符号の説明】
【００３０】
１  給湯外釜
３  制御部
10  ケーシング
19  底部
19ａ  凹所
21  浴槽  
Ｍ  蓄熱塊
Ｐ  循環ポンプ
Ｓａ  塊用温度センサ
【図１】
0003197218.tif 000003
【図２】
0003197218.tif 000004
【図３】
0003197218.tif 000005
【図４】
0003197218.tif 000006